(57)【要約】【課題】  ダイオキシン類の脂肪族炭化水素溶媒溶液を、モノオルトＣｏ−ＰＣＢｓの溶液と、ノンオルトＣｏ−ＰＣＢｓ、ＰＣＤＤｓおよびＰＣＤＦｓの溶液との二種類に簡単に、しかも短時間で分別する。【解決手段】  ダイオキシン類の分別方法は、比表面積が５０〜１８０ｍ２／ｇの第一吸着材１２と、比表面積が２００〜５００ｍ２／ｇの第二吸着材１３とが二層に配置された分別用カラム４に対し、第一吸着材１２側からダイオキシン類の脂肪族炭化水素溶媒溶液を供給する工程と、脂肪族炭化水素溶媒溶液が通過後の分別用カラム４に対して第一吸着材１２側から脂肪族炭化水素溶媒を供給し、分別用カラム４を通過した脂肪族炭化水素溶媒を確保する工程と、脂肪族炭化水素溶媒溶液が通過後の分別用カラム４に対して第二吸着材１３側から芳香族炭化水素溶媒を供給し、分別用カラム４を通過した芳香族炭化水素溶媒を確保する工程とを含んでいる。【選択図】        図１
2005172754.tif 000002
【特許請求の範囲】
【請求項１】
比表面積が５０〜１８０ｍ２／ｇの第一吸着材と、比表面積が２００〜５００ｍ２／ｇの第二吸着材とが二層に配置されたカラムに対し、前記第一吸着材側からダイオキシン類の脂肪族炭化水素溶媒溶液を供給する供給工程と、
前記脂肪族炭化水素溶媒溶液が通過後の前記カラムに対して前記第一吸着材側から脂肪族炭化水素溶媒を供給し、前記カラムを通過した前記脂肪族炭化水素溶媒を確保する第一確保工程と、
前記脂肪族炭化水素溶媒溶液が通過後の前記カラムに対して前記第二吸着材側から芳香族炭化水素溶媒を供給し、前記カラムを通過した前記芳香族炭化水素溶媒を確保する第二確保工程と、
を含むダイオキシン類の分別方法。
【請求項２】
前記第一吸着材および前記第二吸着材は、いずれも炭素系材料である、請求項１に記載のダイオキシン類の分別方法。
【請求項３】
前記脂肪族炭化水素溶媒は、炭素数が５〜１０個の脂肪族炭化水素溶媒に芳香族炭化水素溶媒およびハロゲン化脂肪族炭化水素溶媒のうちの少なくとも一種を添加したものである、請求項１または２に記載のダイオキシン類の分別方法。
【請求項４】
前記第二確保工程において前記カラムを加熱する、請求項１から３のいずれかに記載のダイオキシン類の分別方法。
【請求項５】
比表面積が５０〜１８０ｍ２／ｇの第一吸着材と、
比表面積が２００〜５００ｍ２／ｇの第二吸着材とを含み、
前記第一吸着材と前記第二吸着材とが二層に配置されている、
ダイオキシン類の分別用カラム。
【発明の詳細な説明】
【技術分野】
【０００１】
本発明は、ダイオキシン類の分別方法および分別用カラム、特に、ダイオキシン類を二種類の溶液に分別するための分別方法および分別用カラムに関する。
【背景技術】
【０００２】
産業廃棄物や一般家庭ごみなどの廃棄物を焼却処理するための焼却施設から発生する排気ガス、同施設において発生する飛灰や炉底灰等の焼却灰、製紙工場等の各種工場からの廃水、土壌および浚渫汚泥等は、ダイオキシン類を含む場合がある。ダイオキシン類は、周知の如く極めて毒性の強い環境汚染物質であるため、ダイオキシン類対策特別措置法（平成１１年法律第１０５号）において、廃絶、削減の対象になっている。このため、ダイオキシン類は、焼却施設からの排気ガス、大気、工場廃水、焼却灰および土壌等における含有量等を定期的に分析する必要がある。
【０００３】
本願において、ダイオキシン類の用語は、ダイオキシン類対策特別措置法第２条の規定に倣い、ポリ塩化ジベンゾ−パラ−ジオキシン（ＰＣＤＤｓ）およびポリ塩化ジベンゾフラン（ＰＣＤＦｓ）に加え、コプラナーポリ塩化ビフェニル（Ｃｏ−ＰＣＢｓ）を含む意味として用いる。
【０００４】
排気ガスや廃水等の流体中や土壌中に含まれるダイオキシン類を分析する場合は、先ず、排気ガスや土壌等の検体からダイオキシン類を抽出し、分析用試料を確保する必要がある。ここで、検体が土壌や焼却灰等のような固形物の場合、当該固形物からｎ−ヘキサン等の脂肪族炭化水素溶媒を用いた抽出法（例えば、ソックスレー抽出法）により、ダイオキシン類を抽出する（例えば、非特許文献１、２および３参照）。
【０００５】
一方、検体が排気ガスや廃水等の流体の場合は、先ず、例えば、非特許文献４に記載されたガラス製インピンジャーや特許文献１および２等に記載のフイルタを用いて流体中のダイオキシン類を捕捉して採取する。そして、ガラス製インピンジャーやフイルタにより採取されたダイオキシン類は、ｎ−ヘキサン等の脂肪族炭化水素溶媒を用いた抽出法（例えば、ソックスレー抽出法やガラス製インピンジャー等の洗浄法）により抽出される（非特許文献４、特許文献１、２参照）。
【０００６】
上述のような工程を経て得られた抽出液、すなわち、ダイオキシン類の脂肪族炭化水素溶媒溶液は、通常、精製および濃縮された後、ガスクロマトグラフ質量分析装置（ＧＣ／ＭＳ）を用いて定性的および定量的に分析される。しかし、ダイオキシン類は、多種類の化合物の混合物であるため、同時に分析すると、信頼性の高い分析結果が得られない場合がある。具体的には、モノオルトＣｏ−ＰＣＢｓ、ノンオルトＣｏ−ＰＣＢｓ、ＰＣＤＤｓおよびＰＣＤＦｓが混在している抽出液をＧＣ／ＭＳで分析すると、モノオルトＣｏ−ＰＣＢｓがＰＣＤＤｓおよびＰＣＤＦｓの定量分析結果に影響し、また、ＰＣＤＤｓおよびＰＣＤＦｓがモノオルトＣｏ−ＰＣＢｓの定量分析結果に影響する。そこで、非特許文献４は、ＧＣ／ＭＳによる分析結果の信頼性を高めるため、ダイオキシン類の脂肪族炭化水素溶媒溶液を、モノオルトＣｏ−ＰＣＢｓおよびノンオルトＣｏ−ＰＣＢｓの溶液と、ＰＣＤＤｓおよびＰＣＤＦｓの溶液との二種類に分別し、各溶液を個別にＧＣ／ＭＳで分析するよう推奨している。
【０００７】
しかしながら、非特許文献４に記載された分別方法は、数種類のカラムクロマトグラフィを組み合わせたもので操作が煩雑であり、また、分別が完了するのに数日程度の長時間を要する。
【０００８】
一方、ダイオキシン類の脂肪族炭化水素溶媒溶液は、モノオルトＣｏ−ＰＣＢｓとＰＣＤＤｓおよびＰＣＤＦｓとが相互に影響し合って定量分析結果を損なうのであれば、モノオルトＣｏ−ＰＣＢｓの溶液と、ノンオルトＣｏ−ＰＣＢｓ、ＰＣＤＤｓおよびＰＣＤＦｓの溶液との二種類に分別すればよいことになるが、そのような分別を短時間で簡単に達成できる方法は未だ実現されていない。
【０００９】
本発明の目的は、ダイオキシン類の脂肪族炭化水素溶媒溶液を、モノオルトＣｏ−ＰＣＢｓの溶液と、ノンオルトＣｏ−ＰＣＢｓ、ＰＣＤＤｓおよびＰＣＤＦｓの溶液との二種類に簡単に、しかも短時間で分別することにある。
【００１０】
【非特許文献１】環境庁水質保全局土壌農薬課編「ダイオキシン類に係る土壌調査測定マニュアル（２０００年）」
【非特許文献２】環境庁水質保全局水質管理課編「ダイオキシン類に係る底質調査測定マニュアル（２０００年）」
【非特許文献３】環境庁水質保全局水質管理課編「外因性内分泌攪乱化学物質調査暫定マニュアル（１９９８年）」
【非特許文献４】１９９９年９月２０日制定の日本工業規格ＪＩＳ  Ｋ  ０３１１：１９９９
【００１１】
【特許文献１】特許第３２７３７９６号公報
【特許文献２】ＷＯ０１／９１８８３号公報
【発明の開示】
【課題を解決するための手段】
【００１２】
本発明に係るダイオキシン類の分別方法は、比表面積が５０〜１８０ｍ２／ｇの第一吸着材と、比表面積が２００〜５００ｍ２／ｇの第二吸着材とが二層に配置されたカラムに対し、第一吸着材側からダイオキシン類の脂肪族炭化水素溶媒溶液を供給する供給工程と、脂肪族炭化水素溶媒溶液が通過後のカラムに対して第一吸着材側から脂肪族炭化水素溶媒を供給し、カラムを通過した脂肪族炭化水素溶媒を確保する第一確保工程と、脂肪族炭化水素溶媒溶液が通過後のカラムに対して第二吸着材側から芳香族炭化水素溶媒を供給し、カラムを通過した芳香族炭化水素溶媒を確保する第二確保工程とを含んでいる。
【００１３】
ここで、第一吸着材および第二吸着材は、例えば、いずれも炭素系材料である。また、脂肪族炭化水素溶媒は、通常、炭素数が５〜１０個の脂肪族炭化水素溶媒に芳香族炭化水素溶媒およびハロゲン化脂肪族炭化水素溶媒のうちの少なくとも一種を添加したものである。
【００１４】
この分別方法において、ダイオキシン類の脂肪族炭化水素溶媒溶液をカラムに供給すると、当該溶液に含まれるダイオキシン類のうち、ノンオルトＣｏ−ＰＣＢｓ、ＰＣＤＤｓおよびＰＣＤＦｓが主として第一吸着材に吸着し、また、モノオルトＣｏ−ＰＣＢｓが主として第二吸着材に吸着する。第二吸着材に吸着したモノオルトＣｏ−ＰＣＢｓは、第一確保工程において、カラムに対して第一吸着材側から供給された脂肪族炭化水素溶媒に溶解して抽出されるため、カラムを通過した脂肪族炭化水素溶媒を確保すると、モノオルトＣｏ−ＰＣＢｓの脂肪族炭化水素溶媒溶液が得られる。一方、第一吸着材に吸着したノンオルトＣｏ−ＰＣＢｓ、ＰＣＤＤｓおよびＰＣＤＦｓは、第二確保工程において、カラムに対して第二吸着材側から供給された芳香族炭化水素溶媒に溶解して抽出されるため、カラムを通過した芳香族炭化水素溶媒を確保すると、ノンオルトＣｏ−ＰＣＢｓ、ＰＣＤＤｓおよびＰＣＤＦｓの芳香族炭化水素溶媒溶液が得られる。したがって、この分別方法によれば、ダイオキシン類の脂肪族炭化水素溶媒溶液は、モノオルトＣｏ−ＰＣＢｓの脂肪族炭化水素溶媒溶液と、ノンオルトＣｏ−ＰＣＢｓ、ＰＣＤＤｓおよびＰＣＤＦｓの芳香族炭化水素溶媒溶液との二種類に分別される。
【００１５】
なお、この分別方法は、通常、第二確保工程において、カラムを加熱するのが好ましい。この場合、第一吸着材に吸着したノンオルトＣｏ−ＰＣＢｓ、ＰＣＤＤｓおよびＰＣＤＦｓは、芳香族炭化水素溶媒に溶解しやすくなるため、少量の芳香族炭化水素溶媒により効率的に第一吸着材から抽出され得る。
【００１６】
本発明に係るダイオキシン類の分別用カラムは、比表面積が５０〜１８０ｍ２／ｇの第一吸着材と、比表面積が２００〜５００ｍ２／ｇの第二吸着材とを含み、第一吸着材と第二吸着材とが二層に配置されている。
【００１７】
この分別用カラムは、ダイオキシン類の脂肪族炭化水素溶媒溶液を供給すると、当該溶液に含まれるダイオキシン類のうち、ノンオルトＣｏ−ＰＣＢｓ、ＰＣＤＤｓおよびＰＣＤＦｓを主として第一吸着材により吸着し、また、モノオルトＣｏ−ＰＣＢｓを主として第二吸着材により吸着する。このため、第二吸着材に吸着したモノオルトＣｏ−ＰＣＢｓは、例えば、カラムに対して第一吸着材側から脂肪族炭化水素溶媒を供給すると、当該脂肪族炭化水素溶媒に溶解して抽出される。一方、第一吸着材に吸着したノンオルトＣｏ−ＰＣＢｓ、ＰＣＤＤｓおよびＰＣＤＦｓは、例えば、カラムに対して第二吸着材側から芳香族炭化水素溶媒を供給すると、当該芳香族炭化水素溶媒に溶解して抽出される。したがって、この分別用カラムを用いると、ダイオキシン類の脂肪族炭化水素溶媒溶液を、モノオルトＣｏ−ＰＣＢｓの脂肪族炭化水素溶媒溶液と、ノンオルトＣｏ−ＰＣＢｓ、ＰＣＤＤｓおよびＰＣＤＦｓの芳香族炭化水素溶媒溶液との二種類に分別することができる。
【発明の効果】
【００１８】
本発明に係るダイオキシン類の分別方法は、上述のような供給工程、第一確保工程および第二確保工程を含んでいるため、ダイオキシン類の脂肪族炭化水素溶媒溶液を、モノオルトＣｏ−ＰＣＢｓの脂肪族炭化水素溶媒溶液と、ノンオルトＣｏ−ＰＣＢｓ、ＰＣＤＤｓおよびＰＣＤＦｓの芳香族炭化水素溶媒溶液との二種類に、簡単に、しかも短時間で分別することができる。
【００１９】
本発明に係るダイオキシン類の分別用カラムは、上述のような二種類の吸着材を含み、しかも、これらの吸着材が二層に配置されているため、ダイオキシン類の脂肪族炭化水素溶媒溶液を、モノオルトＣｏ−ＰＣＢｓの溶液と、ノンオルトＣｏ−ＰＣＢｓ、ＰＣＤＤｓおよびＰＣＤＦｓの溶液との二種類に、簡単に、しかも短時間で分別することができる。
【発明を実施するための最良の形態】
【００２０】
図１を参照して、本発明の実施の一形態に係るダイオキシン類の分別用カラムを用いた、ダイオキシン類の分別装置の一例を説明する。図において、分別装置１は、試料供給経路２、精製用カラム３、分別用カラム４、第一経路５および第二経路６を主に備えている。試料供給経路２は、分別対象となるダイオキシン類の脂肪族炭化水素溶媒溶液を精製用カラム３に対して供給するためのものである。
【００２１】
精製用カラム３は、上下方向に開口する筒状体内に、上側から順に液体保持材７と精製材８とを充填したものであり、加熱用のヒータ９を有している。ここで用いられる液体保持材７は、精製用カラム３に供給されたダイオキシン類の脂肪族炭化水素溶媒溶液が直ちに精製材８に到達するのを防ぐためのものであり、通常、ダイオキシン類を吸着しにくく、かつ、吸着したダイオキシン類を脂肪族炭化水素溶媒により容易に抽出することができるもの、例えば、低活性のシリカゲル、アルミナ若しくは珪藻土などである。
【００２２】
一方、精製材８は、通常、極性物質を捕捉可能でありかつダイオキシン類を捕捉しない材料である。このような材料としては、例えば、活性を高めたシリカゲルを用いることができる。特に、硫酸シリカゲルを用いるのが好ましい。また、当該材料として用いられるシリカゲルは、種類の異なるシリカゲルを多層に配置したもの、例えば、硝酸銀シリカゲルと硫酸シリカゲルとを多層に配置した多層シリカゲルであってもよい。硫酸シリカゲル若しくは異種のシリカゲルを多層に配置したものを用いると、後述する精製処理をより効果的にかつ迅速に実施することができる。
【００２３】
分別用カラム４は、精製用カラム３の下方に配置されており、上下方向に開口する筒状体内に吸着材１０を充填したものである。また、分別用カラム４は、加熱用のヒータ１１を有している。
【００２４】
吸着材１０は、上下方向に二層に形成されており、上側の層が第一吸着材１２からなり、また、下側の層が第二吸着材１３からなる。第一吸着材１２は、比表面積が５０〜１８０ｍ２／ｇ、好ましくは７０〜１２０ｍ２／ｇのものである。第一吸着材１２の比表面積が５０ｍ２／ｇ未満の場合は、ダイオキシン類、特に、ノンオルトＣｏ−ＰＣＢｓ、ＰＣＤＤｓおよびＰＣＤＦｓを吸着しにくくなる。逆に、１８０ｍ２／ｇを超える場合は、ダイオキシン類を分別するのが困難になり、また、吸着したダイオキシン類を後述する芳香族炭化水素溶媒により抽出しにくくなる。
【００２５】
また、第二吸着材１３は、比表面積が２００〜５００ｍ２／ｇ、好ましくは２２０〜４００ｍ２／ｇのものである。第二吸着材１３の比表面積が２００ｍ２／ｇ未満の場合は、モノオルトＣｏ−ＰＣＢｓを吸着しにくくなるため、ダイオキシン類を分別するのが困難になる。逆に、５００ｍ２／ｇを超える場合は、吸着したダイオキシン類を後述する脂肪族炭化水素溶媒により抽出しにくくなる。
【００２６】
第一吸着材１２および第二吸着材１３に関する上述の比表面積は、窒素を用いるＢＥＴ法に基づくものである。
【００２７】
第一吸着材１２および第二吸着材１３は、材質が特に限定されるものではないが、通常、グラファイト、活性炭、ナノカーボン等の炭素系材料が好ましい。特に、各種の有機溶媒による抽出操作を実施した場合に、それ自体から不純物を溶出しにくいグラファイトを用いるのが好ましい。また、分別用カラム４における第一吸着材１２と第二吸着材１３との割合は、特に限定されるものではないが、通常、重量割合において、第一吸着材１２よりも第二吸着材１３が多くなるよう設定するのが好ましい。
【００２８】
第一経路５は、精製用カラム３の下部と分別用カラム４の上部とを連絡するためのものであり、第一切替弁１４を有している。第一切替弁１４は、第一溶媒供給経路１５と第一溶媒排出経路１６とが連絡しており、精製用カラム３と分別用カラム４との連絡、第一溶媒供給経路１５と分別用カラム４との連絡、若しくは、第一溶媒排出経路１６と分別用カラム４との連絡のいずれかに流路を切り替えるためのものである。
【００２９】
第二経路６は、分別用カラム４の下部から溶媒容器１７へ延びており、第二切替弁１８を有している。第二切替弁１８は、第二溶媒供給経路１９と第二溶媒排出経路２０とが連絡しており、分別用カラム４と溶媒容器１７との連絡、分別用カラム４と第二溶媒供給経路１９との連絡、若しくは、分別用カラム４と第二溶媒排出経路２０との連絡のいずれかに流路を切り替えるためのものである。
【００３０】
次に、上述の分別装置１を用いたダイオキシン類の分別方法を説明する。
先ず、分別装置１において、精製用カラム３と分別用カラム４とが連絡するよう第一切替弁１４を設定し、分別用カラム４と溶媒容器１７とが連絡するよう第二切替弁１８を設定する。また、ヒータ９により、精製用カラム３を加熱する。
【００３１】
次に、精製用カラム３に対し、試料供給経路２を通じてダイオキシン類の脂肪族炭化水素溶媒溶液（以下、試料という）を供給する。ここで供給する試料は、その種類が特に限定されるものではないが、通常、土壌や焼却灰等のような固形物、流体中に含まれるダイオキシン類を採取したフイルタ（例えば、上述の特許文献１、２に記載のもの）および１９９９年９月２０日制定の日本工業規格ＪＩＳ  Ｋ  ０３１１：１９９９（上述の非特許文献４）に規定の方法でダイオキシン類を採取したガラス製インピンジャーや樹脂吸着材などから、脂肪族炭化水素溶媒を用いてソックスレー抽出法若しくは洗浄などの方法によりダイオキシン類を抽出することにより得られたものである。
【００３２】
また、試料は、上述のような固形物やフイルタから芳香族炭化水素溶媒を用いてダイオキシン類を抽出することにより得られた抽出液において、芳香族炭化水素溶媒を脂肪族炭化水素溶媒に置換したものであってもよい。
【００３３】
上述の試料において用いられる脂肪族炭化水素溶媒として好ましいものは、通常、炭素数が５〜１０の脂肪族炭化水素溶媒である。炭素数が５〜１０の脂肪族炭化水素溶媒のうち、特に好ましいものとしては、例えば、ｎ−ヘキサン、ノナン、デカンなどを挙げることができる。
【００３４】
精製用カラム３に供給された試料は、先ず、液体保持材７に浸透し、そこで加熱されながら精製材８へ移動する。精製材８に移動した試料は、そこに含まれる極性物質、すなわち不純物が精製材８に吸着され、精製される。ここで、精製材８は、ヒータ９により加熱されており、しかも、試料が液体保持材７において予め加熱されているため、試料中に含まれる不純物を吸着しやすく、試料を効率的に精製することができる。
【００３５】
精製用カラム３において精製された試料は、続いて、第一経路５を通じて分別用カラム４ヘ供給される（供給工程）。分別用カラム４に供給された試料は、分別用カラム４を通過するに従い、そこに含まれるダイオキシン類のうち、ノンオルトＣｏ−ＰＣＢｓ、ＰＣＤＤｓおよびＰＣＤＦｓが主として第一吸着材１２に吸着し、また、モノオルトＣｏ−ＰＣＢｓが主として第二吸着材１３に吸着する。そして、試料の脂肪族炭化水素溶媒は、分別用カラム４を通過し、第二経路６を通じて溶媒容器１７に排出される。
【００３６】
分別用カラム４から試料の脂肪族炭化水素溶媒が排出された後、第一溶媒供給経路１５と分別用カラム４とが連絡するよう第一切替弁１４を切り替え、また、分別用カラム４と第二溶媒排出経路２０とが連絡するよう第二切替弁１８を切り替える。そして、この状態で、第一溶媒供給経路１５へ所定量の脂肪族炭化水素溶媒を供給する。
【００３７】
ここで供給する脂肪族炭化水素溶媒は、特に限定されるものではないが、通常、炭素数が５〜１０の脂肪族炭化水素溶媒、例えば、ｎ−ヘキサン、ノナン、デカンなどである。脂肪族炭化水素溶媒として好ましいものは、上述のような脂肪族炭化水素溶媒に芳香族炭化水素溶媒およびハロゲン化脂肪族炭化水素溶媒のうちの少なくとも一種を添加したものである。特に、上述の試料において用いられているものと同じ脂肪族炭化水素溶媒に芳香族炭化水素溶媒およびハロゲン化脂肪族炭化水素溶媒のうちの少なくとも一種を添加したものが好ましい。脂肪族炭化水素溶媒に添加する芳香族炭化水素溶媒として好ましいものは、例えば、トルエンやベンゼンなどである。また、脂肪族炭化水素溶媒に添加するハロゲン化脂肪族炭化水素溶媒として好ましいものは、例えば、ジクロロメタンなどである。
【００３８】
第一溶媒供給経路１５に供給された脂肪族炭化水素溶媒は、第一切替弁１４および第一経路５を経由し、分別用カラム４に対して第一吸着材１２側から供給される。分別用カラム４に対して供給された脂肪族炭化水素溶媒は、分別用カラム４を流下し、第二吸着材１３に吸着されたモノオルトＣｏ−ＰＣＢｓを溶解して抽出し、第一抽出溶液となる。この第一抽出溶液は、分別用カラム４から第二経路６、第二切替弁１８および第二溶媒排出経路２０を経由して確保される（第一確保工程）。
【００３９】
次に、第一溶媒排出経路１６と分別用カラム４とが連絡するよう第一切替弁１４を切り替え、分別用カラム４と第二溶媒供給経路１９とが連絡するよう第二切替弁１８を切り替える。さらに、ヒータ１１により、分別用カラム４を加熱する。そして、この状態で、第二溶媒供給経路１９へ所定量の芳香族炭化水素溶媒を供給する。
【００４０】
ここで供給する芳香族炭化水素溶媒は、特に限定されるものではないが、通常、ベンゼンやトルエンなどが好ましい。
【００４１】
第二溶媒供給経路１９に供給された芳香族炭化水素溶媒は、第二切替弁１８および第二経路６を経由し、分別用カラム４に対して第二吸着材１３側から供給される。分別用カラム４に対して供給された芳香族炭化水素溶媒は、第二溶媒供給経路１９での供給圧により分別用カラム４を上昇し、第一吸着材１２に吸着されたノンオルトＣｏ−ＰＣＢｓ、ＰＣＤＤｓおよびＰＣＤＦｓを溶解して抽出し、第二抽出溶液となる。ここで、第一吸着材１２に吸着されたノンオルトＣｏ−ＰＣＢｓ、ＰＣＤＤｓおよびＰＣＤＦｓは、分別用カラム４がヒータ１１により加熱されているため、少量の芳香族炭化水素溶媒により効率的に抽出される。そして、第二抽出溶液は、分別用カラム４から第一経路５、第一切替弁１４および第一溶媒排出経路１６を経由して確保される（第二確保工程）。
【００４２】
以上の結果、試料供給経路２を通じて分別装置１に供給された試料は、第一抽出溶液（すなわち、モノオルトＣｏ−ＰＣＢｓの脂肪族炭化水素溶媒溶液）と、第二抽出溶液（すなわち、ノンオルトＣｏ−ＰＣＢｓ、ＰＣＤＤｓおよびＰＣＤＦｓの芳香族炭化水素溶媒溶液）との二種類に、通常、数時間程度の短時間で分別される。
【００４３】
上述の分別方法により得られた第一抽出溶液は、モノオルトＣｏ−ＰＣＢｓの分析に適したカラムを装着したＧＣ／ＭＳにより定性的、定量的に分析される。一方、第二抽出溶液は、ノンオルトＣｏ−ＰＣＢｓ、ＰＣＤＤｓおよびＰＣＤＦｓの分析に適したカラムを装着したＧＣ／ＭＳにより定性的、定量的に分析される。
【００４４】
なお、上述の分別装置１において、第一溶媒排出経路１６および第二溶媒排出経路２０は、それぞれ、個別のＧＣ／ＭＳの試料導入部に連絡されていてもよい。このようにすれば、試料中のダイオキシン類の分別からＧＣ／ＭＳによる分析までの一連の操作を連続的に実施することができる。
【００４５】
また、上述のダイオキシン類の分別方法では、分別用カラム４に対して第一吸着材１２側から脂肪族炭化水素溶媒を供給して第一抽出液を確保した後、分別用カラム４に対して第二吸着材１３側から芳香族炭化水素溶媒を供給して第二抽出液を確保したが、この順序は逆でもよい。すなわち、分別用カラム４に対して第二吸着材１３側から芳香族炭化水素溶媒を供給して第二抽出液を確保した後、分別用カラム４に対して第一吸着材１２側から脂肪族炭化水素溶媒を供給して第一抽出液を確保することもできる。
【実施例】
【００４６】
次の材料を用いて上述の分別装置１を作成した。
◎第一吸着材１２：比表面積が１００ｍ２／ｇのグラファイト（シグマ・アルドリッチ社の商品名“ＥＮＶＩ−Ｃａｒｂ”：１２０／４００メッシュ）３００ｍｇ
◎第二吸着材１３：比表面積が２５０ｍ２／ｇのグラファイト（シグマ・アルドリッチ社の商品名“ＥＮＶＩ−Ｃａｒｂ  Ｘ”：１２０／４００メッシュ）６００ｍｇ
◎液体保持材７：シリカゲル
◎精製材８：硝酸銀シリカゲルと硫酸シリカゲルとを多層に配置した多層シリカゲル
【００４７】
作成した分別装置１を用い、ダイオキシン類の標準溶液（２９種類のダイオキシン類を含むもの）を分別した。ここでは、ヒータ９により５０℃に加熱した精製用カラム３の液体保持材７部分に、試料供給経路３からダイオキシン類の標準溶液を添加して保持させた。そして、試料供給経路３から精製用カラム３に対して５０℃のｎ−ヘキサンを８０ｍｌ供給した。次に、第一切替弁１４および第二切替弁１８を切り替え、５容量％のトルエンを含むｎ−ヘキサン９０ｍｌを第一溶媒供給経路１５から分別用カラム４に対して供給し、第二溶媒排出経路２０からの抽出溶液（上述の第一抽出溶液）を確保した。続いて、第一切替弁１４および第二切替弁１８を切り替えると共に、ヒータ１１で分別用カラム４を８０℃に加熱した。そして、トルエン３０ｍｌを第二溶媒供給経路１９から分別用カラム４に対して供給し、第一溶媒排出経路１６からの抽出溶液（上述の第二抽出溶液）を確保した。以上の操作に要した時間は２時間であった。
【００４８】
各抽出溶液に含まれるダイオキシン類をＧＣ／ＭＳを用いて分析した結果を図２（第一抽出溶液の結果）および図３（第二抽出溶液の結果）に示す。各図において、回収率は、ダイオキシン類の標準溶液に含まれていた各ダイオキシン類化合物量に対する、抽出液中に含まれる当該ダイオキシン類化合物量の割合（％）である。また、Ｃｏ−ＰＣＢｓは、ＩＵＰＡＣの分類にしたがって表示している。
【００４９】
図２および図３によると、ダイオキシン類の標準溶液中に含まれていたモノオルトＣｏ−ＰＣＢｓのほぼ１００％が第一抽出溶液に含まれており、また、同標準溶液中に含まれていたノンオルトＣｏ−ＰＣＢｓ、ＰＣＤＤｓおよびＰＣＤＦｓのほぼ１００％が第二抽出溶液に含まれていることが分かる。この結果より、この実施例において、標準溶液中のダイオキシン類は、モノオルトＣｏ−ＰＣＢｓの溶液と、ノンオルトＣｏ−ＰＣＢｓ、ＰＣＤＤｓおよびＰＣＤＦｓの溶液との二種類に精密に分別できることが確認できた。
【図面の簡単な説明】
【００５０】
【図１】本発明の分別方法を実施するために用いられる分別装置の一例の概略図。
【図２】実施例において得られた第一抽出溶液の分析結果を示すグラフ。
【図３】実施例において得られた第二抽出溶液の分析結果を示すグラフ。
【符号の説明】
【００５１】
１  分別装置
４  分別用カラム
１２  第一吸着材
１３  第二吸着材
【図１】
2005172754.tif 000003
【図２】
2005172754.tif 000004
【図３】
2005172754.tif 000005